(57)【特許請求の範囲】
【請求項１】
原稿画像を複写する際の原稿画像データに対して行う画像処理の方式を印画紙に現像された写真の原稿の複写に対応した画像処理方式とする印画紙写真モードと写真画像が記録紙に印刷された原稿の複写に対応した画像処理方式とする印刷写真モードとのいずれかに設定するモード設定手段を具備する画像処理装置において，
画像処理中の前記原稿画像データから網点の有無を検出する網点検出手段と，
前記モード設定手段により前記印画紙写真モードに設定されておりかつ前記網点検出手段により網点が検出された場合に，前記印画紙写真モードの画像処理方式から前記印刷写真モードの画像処理方式に切り替える画像処理方式強制切替え手段と，
前記画像処理方式強制切替え手段により前記印刷写真モードの画像処理方式に切り替えられている場合に，前記網点検出手段により画像処理中の前記原稿画像データの所定データ数分について網点が検出されない場合には前記印画紙写真モードの画像処理方式に復帰させる画像処理方式復帰手段と，
を具備してなることを特徴とする画像処理装置。
【請求項２】
前記網点検出手段が，前記原稿画像データの主走査方向１ライン分のデータの一部又は全部における濃度変化の凹凸の数に基づいて網点の有無を検出するものである請求項１に記載の画像処理装置。
【請求項３】
請求項１又は２のいずれかに記載の画像処理装置を具備してなることを特徴とする複写装置。
【発明の詳細な説明】
【０００１】
【発明の属する技術分野】
本発明は，原稿画像を複写する際の原稿画像データに対する画像処理を行う画像処理装置及びそれを具備する複写装置に関するものである。
【０００２】
【従来の技術】
複写装置により原稿画像を複写する際に原稿画像データの画像処理を行う画像処理装置において，原稿画像データを２次元にマトリクス展開し，原稿画像データの濃度変化の周期性や濃淡の急峻性を算出することにより，網点の有無や，文字や図形の画像であるか写真画像であるか等の原稿画像の種類を判別する領域分離処理を行うことは周知である。また，原稿画像データの領域ごとに空間フィルタの種類やγ補正テーブル，階調処理の種類を切り替える適応処理を，前記領域分離処理による判別結果に応じて行うことも周知である。これにより，モアレの抑制や文字再現性の向上と階調性能の向上とを両立させることができる。
しかしながら，領域分離処理は，原稿の種類や原稿が原稿台上に画像読み取り手段の主走査方向に対して若干斜めに置かれたりすること等によりその分離性能に影響が生じ，あらゆる場合に高い分離性能を得られるものではない。このため，従来の画像処理装置は，例えば特許文献１に示されるように，領域分離処理により原稿の種類を自動検知して領域ごとに適切な画像処理方式に切り替える自動モード（一般に，「文字・写真モード」等という）と，領域分離処理を行わずに利用者により設定された原稿の種類に対応する画像処理方式を採用する手動モード（一般に，「文字モード」や「写真モード」として設定される）とのいずれかを設定可能に構成されているものがある。さらに，例えば特許文献２に示されるように，前記手動モードにおいて，印画紙に現像された写真（いわゆる銀鉛写真，以下，印画紙写真という）の原稿の複写に対応した画像処理方式とするモード（以下，印画紙写真モードという）と写真画像が記録紙に印刷された原稿（以下，印刷写真という）の複写に対応した画像処理方式とするモード（以下，印刷写真モードという）とのいずれにするかを設定可能に構成されたものもある。前記印画紙写真モードでは，通常，階調再現性を良くし，粒状感をなくすこととを特に重要視することから，ディザ処理等によって網点処理を行う画像処理方式が採用される。一方，記録紙に印刷された原稿画像には網点処理が施されている場合が多く，このような原稿画像に対して網点処理を行うと，原稿の網点の周期性と画像処理における網点処理の周期性とが相互干渉してモアレが発生してしまう。このため，前記印刷写真モードでは，通常，モアレの発生を抑制するために，しきい値マトリクスに周期性構造を持たない誤差拡散処理を用いたり，予め網点成分（周期的な濃度変化）を除去するための空間フィルタ処理（例えば，ガウスフィルタ）を施した後にディザ処理等で再網点化処理を施す等の画像処理方式が採用される。
また，特許文献３には，過去の前記領域分離処理の判別結果の傾向に応じて標準的に採用する画像処理方式のモード（標準モード）を決定する技術が示されている。
【０００３】
【特許文献１】
特開昭６２−１０４３７４号公報
【特許文献２】
特開平７−２９８０７４号公報
【特許文献３】
特開２００２−１００７６号公報
【０００４】
【発明が解決しようとする課題】
しかしながら，高線数のスクリーン処理により印刷された前記印刷写真では，目視ではその網点を認識することができないことから利用者が前記印画紙写真であると見誤り，前記印刷写真モードに設定すべきところを前記印画紙写真モードに誤って設定してしまうことが多い。この場合，前述したように，原稿の網点の周期と前記印刷写真モードにおける網点処理の周期との相互干渉によるモアレが出力画像に発生するという問題点があった。
従って，本発明は上記事情に鑑みてなされたものであり，その目的とするところは，原稿画像を複写する際の原稿画像データに対して行う画像処理の方式を印画紙に現像された写真の原稿の複写に対応した画像処理方式とする印画紙写真モードと写真画像が記録紙に印刷された原稿の複写に対応した画像処理方式とする印刷写真モードとのいずれかに設定するモード設定手段を具備する画像処理装置において，利用者が印刷写真モードに設定すべきところを誤って印画紙写真モードに設定した場合であってもモアレの生じない適切な画像処理を行える画像処理装置及びそれを具備する複写装置を提供することにある。
【０００５】
【課題を解決するための手段】
上記目的を達成するために本発明は，原稿画像を複写する際の原稿画像データに対して行う画像処理の方式を印画紙に現像された写真の原稿の複写に対応した画像処理方式とする印画紙写真モードと写真画像が記録紙に印刷された原稿の複写に対応した画像処理方式とする印刷写真モードとのいずれかに設定するモード設定手段を具備する画像処理装置において，画像処理中の前記原稿画像データから網点の有無を検出する網点検出手段と，前記モード設定手段により前記印画紙写真モードに設定されておりかつ前記網点検出手段により網点が検出された場合に，前記印画紙写真モードの画像処理方式から前記印刷写真モードの画像処理方式に切り替える画像処理方式強制切替え手段と，前記画像処理方式強制切替え手段により前記印刷写真モードの画像処理方式に切り替えられている場合に，前記網点検出手段により画像処理中の前記原稿画像データの所定データ数分について網点が検出されない場合には前記印画紙写真モードの画像処理方式に復帰させる画像処理方式復帰手段と，を具備してなることを特徴とする画像処理装置として構成されるものである。
【０００６】
これにより，利用者が網点処理が施された前記印刷写真を前記印画紙写真であると見誤り，前記印刷写真モードに設定すべきところを誤って前記印画紙写真モードに設定した場合でも，モアレの発生を防止することができる。
また，原稿画像の一部の領域にのみ網点処理が施されている場合や，原稿画像の特性等によりその一部の領域について網点が存在すると誤検出した場合であっても，網点が検出されなくなったときには本来の設定モードに従った画像処理方式に復帰させることが可能となる。
【０００７】
また，前記網点検出手段が，前記原稿画像データの主走査方向１ライン分のデータの一部又は全部における濃度変化の凹凸の数に基づいて網点の有無を検出するものが考えられる。
原稿画像に網点が存在する場合，原稿画像データの主走査方向１ライン分のデータにおいて，網点の存在する位置では濃度のピーク（凸）が生じ，網点の存在しない位置では濃度のディップ（凹）が生じる。従って，主走査方向１ライン分のデータの一部又は全部における同度変化の凹凸が多数（所定数以上）存在するか否かを検出することによって網点の存在有無を簡易に検出することが可能となる。
【０００８】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像処理装置Ｘが適用される複写装置の構成を表す概略断面図，図２は本発明の実施の形態に係る画像処理装置Ｘの概略構成を表すブロック図，図３は原稿画像の網点及び網点が存在するラインと主走査線とが一致した場合における原稿画像データの濃度変化のグラフを表す図，図４は原稿画像の読み取り画素と網点との関係を模式的に表した図，図５は本発明の実施の形態に係る画像処理装置Ｘにおける網点検出方法を説明するための図である。
【０００９】
まず，図１を用いて，本発明の実施の形態に係る画像処理装置Ｘを備えた画像形成装置の一例である複写装置３０について説明する。
複写装置３０は下方に複数の記録紙収納部３１を有し，その上方に両面ユニット３２が配置され，その上方には画像形成部３３と定着装置３が設けられている。更にその上部には画像読み取り装置３５と自動原稿搬送装置３６が取り付けられている。また，複写装置３０の本体上面には，液晶タッチパネル等の表示操作部４が配置され，利用者は，該表示操作部４の操作によって，画質モード選択や記録紙収納部３１の有する複数の記録紙カセットのいずれを使用するかの選択，画像読み取りの開始操作等の各種操作を行う。
画像形成部３３には感光体ドラム４０の周囲に，帯電装置４１，現像装置４２，クリーニング装置４３が配置された作像ユニット４４が設けられており，下方には感光体ドラム４０に対向して転写装置４５が配置されている。感光体ドラム４０は，例えば直径８４ｍｍのアルミ円筒の表面に感光層が形成されており，図１において時計方向に回転駆動される。帯電装置４１は回転する感光体ドラム４０の表面をコロナ放電により数百Ｖに帯電させる。感光体ドラム４０表面の帯電装置４１よりも回転方向下流側では，レーザ発振器３８から出射されたレーザビームが照射されて静電潜像が形成される。このレーザ発振器３８のレーザビーム出力の制御に用いられる画像データは，画像処理装置Ｘから入力される。
即ち，画像読み取り装置３５からミラーにより導かれた原稿画像光は，イメージセンサ３７に入射され，ここでＡ／Ｄ変換されてデジタル画像データ（原稿画像データ）として画像処理装置Ｘに入力される。さらに，原稿画像データは，画像処理装置Ｘにおいて，所定の画像処理が施され，画像処理後の画像データがレーザ制御部３８ａに入力され，該レーザ制御部３８ａにより，画像処理後の画像データに従ったレーザビームが出射されるようにレーザ発振器３８が制御される。また，前記レーザ制御部３８ａは，入力される画像データに応じて，前記パルス発振器３８への出力パルス信号のパルス幅を多段階に変調するパルス幅変調機能を備えている。このパルス幅変調により，前記感光体ドラム４０上に形成される静電潜像の画素（出力画素）の大きさが多段階に調節（多値化）される。
【００１０】
現像装置４２では現像ローラが回転して，現像ローラ表面に形成された磁気ブラシが感光体ドラム４０表面に接触し，静電潜像に対して帯電したトナーを付着させてトナー画像を形成する。トナー画像は転写装置４５において，記録紙収納部３１から搬送されてきた記録紙が感光体ドラム４０とその周速と同じ速度で移動する転写ベルト４６との間に挟持された状態で搬送されながら帯電されてトナー画像が記録紙上に転写される。転写装置４５の下流側にはクリーニング装置４３が配置されており，感光体ドラム４０の表面上に残留したトナーや他の付着物が除去される。前記複写装置３０の転写装置４５は，転写ベルトを用いたものが採用されているが，これを転写ローラに置き換えることも可能である。
前記転写装置４５によってトナー像が転写された記録紙は，その搬送方向下流側に設けられた定着装置３に運ばれ，定着装置３の定着ローラ１とこれに対向する加圧ローラ２の間を通り，記録紙上のトナーが内部にヒータを備えた定着ローラ１の熱によって溶融定着される。加圧ローラ２は，記録紙を前記定着ローラ１に押し付けて，トナーの定着を確実にするためのものである。
【００１１】
次に，図２のブロック図を用いて，画像処理装置Ｘの概略構成について説明する。
図２に示すように，前記画像読み取り装置３５により読み取られ，前記イメージセンサ３７によりＡ／Ｄ変換された原稿画像データを入力し，該原稿画像データに対して周知の空間フィルタ処理を施す空間フィルタ処理部５１と，該空間フィルタ処理後の画像データに対して周知のγ補正処理を行うγ補正処理部５２と，該γ補正処理後の画像データに対してそれぞれ異なる画像処理方式によって画像処理を施す複数の画像処理部からなるマルチ画像処理部５３と，該マルチ画像処理部５３によって画像処理が施された画像データのうち，いずれの画像処理方式で処理された画像データを前記レーザ制御部３８ａに出力するかを選択するセレクタ５４と，前記表示操作部４から設定入力される原稿の種類に対応した画像処理のモード情報を記憶する設定モード記憶部５５と，原稿画像データを入力して網点を検出する網点検出部５６と，該網点検出部５６の検出結果と前記設定モード記憶部５５に記憶されている前記モード情報とに基づいて前記空間フィルタ処理部５１や前記γ補正処理部５２における画像処理パラメータの強制切り替え及び前記セレクタ５４の出力選択の強制切り替えを行う画像処理方式強制切替部５７と，原稿画像データを入力して領域分離処理を行う領域分離処理部５８とを具備している。
ここで，前記マルチ画像処理部５３は，次の４つの方式の画像処理を行うものである。
その１つは，文字や図形の原稿の複写に対応した画像処理（以下，文字対応画像処理という）である。この文字対応画像処理では，例えば，前記パルス幅変調を行わない２値化処理時における誤差分を次の画素に順次振り分ける一般的な誤差拡散処理を行う画像処理等を行う。この処理を行う処理部を，以下，文字対応画像処理部部５３ａという。
２つ目は，前記印画紙写真の原稿の複写に対応した画像処理（以下，印画紙写真対応画像処理という）である。この印画紙写真対応画像処理では，階調再現性と粒状感をなくすため，例えば，ディザパターンを網点として比較的大きなスクリーン線数での網点処理等の画像処理を行う。この処理を行う処理部を，以下，印画紙写真対応画像処理部５３ｂという。
３つ目は，前記印刷写真の原稿の複写に対応した画像処理（以下，印刷写真対応画像処理という）である。この印刷写真対応画像処理では，前記印刷写真の画像に存在する網点と干渉してモアレが発生することを防止するため，例えば，しきい値マトリクスに周期性構造を持たない誤差拡散処理を用いたり，予め網点成分（周期的な濃度変化）を除去するための空間フィルタ処理（例えば，ガウスフィルタ）を施した後にディザ処理等で再網点化処理を施す等の画像処理を行う。この処理を行う処理部を，以下，印刷写真対応画像処理部５３ｃという。
４つ目は，前記領域分離処理部５８により自動検知された原稿の種類に応じて画像領域ごとに前記文字対応画像処理と前記印画紙写真対応画像処理と前記印刷写真画像処理とを自動的に切り替えて画像処理を行う。
【００１２】
前記設定モード記憶部５５に記憶される前記モード情報としては，利用者が原稿の種類に応じて画像処理方式を直接指定する（原稿の種類を指定する）モードである「文字モード」，「印画紙写真モード」，及び「印刷写真モード」と，画像処理方式が自動選択されるよう指定するモードである「文字・写真モード」の４種類がある。
前記空間フィルタ処理部５１及び前記γ補正処理部５２では，前記画像処理方式強制切替部５７により所定の指令が出力されない限り，前記モード情報として「文字モード」，「印画紙写真モード」，及び「印刷写真モード」のいずれかが設定されている場合には，各モード（即ち，原稿の種類）に対応した画像処理パラメータが用いられ，「文字・写真モード」が設定されている場合には，前記領域分離処理部５８の判別結果に応じた画像処理パラメータが用いられるよう構成されている。
また，前記セレクタ５４は，前記画像処理方式強制切替部５７により所定の指令が出力されない限り，前記モード情報が「文字モード」である場合には前記文字対応画像処理部５３ａの出力を，同「印画紙写真モード」である場合には前記印画紙写真対応画像処理部５３ｂの出力を，同「印刷写真モード」である場合には前記印刷写真対応画像処理部５３ｃの出力を，同「文字・写真モード」が設定されている場合には前記文字・写真対応画像処理部５３ｄの出力を選択して出力するよう構成されている。
図２に示す例では，前記セレクタ５４は，各画像処理部５３ａ〜ｄの後段においてそれらの出力を切り替えるものであるが，例えば，各画像処理部５３ａ〜ｄの前段に設けて各画像処理部５３ａ〜ｄのいずれにより画像処理を行うかを切り替えるものであってもよい。
【００１３】
一方，前記画像処理方式強制切替部５７は，前記モード情報が「印画紙写真モード」であり，かつ，前記網点検出部５６から原稿画像に網点が検出されている旨の信号が入力されている場合には，所定の切替指令が前記空間フィルタ処理部５１，前記γ補正処理部５２，及び前記セレクタ５４に出力される。この切替指令を入力した前記空間フィルタ５１及び前記γ補正処理部では，用いる画像処理パラメータが「印画紙写真モード」に対応したパラメータから「印刷写真モード」に対応したパラメータに切り替わる。また，前記切替指令を入力した前記セレクタ５４では，選択される出力が，前記印画紙写真対応画像処理部５３ｂの出力から前記印刷写真対応画像処理部５３ｃの出力に切り替わる。
これにより，利用者が網点処理が施された前記印刷写真を前記印画紙写真であると見誤り，「印刷写真モード」に設定すべきところを誤って「印画紙写真モード」に設定した場合でも，モアレの発生を防止することができる。
また，前記画像処理方式強制切替部５７は，前記網点検出部５６から原稿画像に網点が検出されていない旨の信号が入力されている場合には，前記切替指令の出力を停止する。そして，前記画像処理方式強制切替部５７からの前記切替指令の出力が停止されると，前記空間フィルタ５１及び前記γ補正処理部では，用いる画像処理パラメータが元のパラメータ（「印画紙写真モード」に対応したパラメータ）に戻され（復帰され），前記セレクタ５４では，選択される出力が元の出力（前記印画紙写真対応画像処理部５３ｂの出力）に戻される（復帰される）。ここで，前記画像処理方式強制切替部５７が，前記画像処理方式強制切替手段及び前記画像処理方式復帰手段の一例である。
これにより，原稿画像の一部の領域にのみ網点処理が施されている場合であっても，網点が検出されなくなったときには本来の設定モードに従った画像処理方式に復帰させることが可能となる。
【００１４】
次に，前記網点検出部５６による原稿画像の網点の検出方法について説明する。
原稿画像に網点が存在する場合において，原稿画像を主走査方向に１ラインずつ読み取っていくと，網点が存在するラインと主走査線とが一致する場合が発生する。図３は，原稿画像の網点と，該網点が存在するラインと主走査線（破線で示す）とが一致した場合における原稿画像データの主走査方向１ライン分のデータの一部についての濃度変化のグラフとを表す図である。ここで，図３（ａ）は，原稿画像の網点のスクリーン線数が少ない（例えば，６５線）場合，図３（ｂ）は，同スクリーン線数が多い（例えば，２００線）場合を表す。
図３（ａ），（ｂ）に示すように，網点が存在するラインと主走査線とが一致すると，原稿画像データの主走査方向１ライン分のデータの濃度変化において，網点の位置で濃度のピーク（凸）が，網点が存在しない位置で濃度のディップ（凹）が発生する。例えば，前記画像読み取り装置３５の読み取り分解能が６００ｄｐｉであるとすると，原稿が６５線の印刷物である場合は主走査方向に１３．０３画素ピッチで網点が存在するので，１０００画素内に７６箇所（≒１０００÷１３．０３）の濃度の凹凸（ピークとディップ）が，２００線の印刷物である場合には主走査方向に４．２４画素ピッチで網点が存在するので，１０００画素内に２３５箇所（≒１０００÷４．２４）の濃度の凹凸が検出されることになる。通常，写真画像自体にこのような頻度で濃度の凹凸が生じることは考えにくいため，主走査方向１ライン分或いはその一部についての濃度の凹凸の数が所定数以上（例えば，７０以上等）であれば，その原稿画像には網点が存在すると判断できる。
このことから，前記網点検出部５６は，画像処理中の原稿画像データの主走査方向１ライン分又はその一部（例えば，１０００画素分程度）について，濃度変化の凹凸の数をカウントし，該凹凸の数が所定数以上であれば網点ありと判別し，その旨の信号を前記画像処理方式強制切替部５７に出力する。そして，一度，網点ありの信号を出力すると，網点なしと判別する所定の条件（後述）を満たすまで網点ありの信号を出力し続ける。
【００１５】
次に，前記網点検出部５６による原稿画像データの濃度変化の凹凸の検出方法について説明する。
図４は，前記画像読み取り装置３５による読み取り画素（即ち，原稿画像データの画素）と網点との関係を模式的に表したものである。
例えば，網点（斜線部）が図４（ａ）に示すように前記読み取り画素Ｐｔと略一致する場合や，図４（ｂ），（ｄ）に示すように前記読み取り画素Ｐｔから若干はみ出る程度の場合には，原稿画像データの主走査方向において隣接する前記読み取り画素Ｐｔとの濃度差により濃度のピーク（即ち，網点）を検出することができる。
例えば，図５（ａ）に示すように，濃度がそれぞれＣ，Ｄ，Ｅである画素が主走査方向にその順序で並んでいる場合に，濃度Ｄの画素を注目画素Ｐｔ０とすると，（Ｄ＞Ｃ）かつ（Ｄ＞Ｅ）かつ（２Ｄ−（Ｃ＋Ｅ）≧ＴＨ＿Ｐ）である場合に注目画素Ｐｔ０がピーク（凸）であると判別する。ここで，ＴＨ＿Ｐは所定の正の定数である。
また，図４（ｅ）に示すように，中抜き（白抜き）の網点処理が施されている場合には，原稿画像データの主走査方向において隣接する前記読み取り画素Ｐｔとの濃度差により濃度のディップ（即ち，中抜きの網点）を検出することができる。
例えば，図５（ａ）の例において，（Ｄ＜Ｃ）かつ（Ｄ＜Ｅ）かつ（（Ｃ＋Ｅ）−２Ｄ≧ＴＨ＿Ｄ）である場合に注目画素Ｐｔ０がディップ（凹）であると判別する。ここで，ＴＨ＿Ｄは所定の正の定数である。
ところで，画像データの中には，網点（斜線部）が図４（ｃ）に示すように複数の前記読み取り画素Ｐｔに跨るような状態が生じる場合があり，このような場合には，原稿画像データの主走査方向において隣接する前記読み取り画素Ｐｔとの濃度差によっては濃度の凹凸（ピークとディップ）を検出することができない。しかし，例えば主走査方向１０００画素分程度（主走査方向１ライン部の一部）について濃度の凹凸の数をカウントすれば，原稿が前記印画紙写真であるか前記印刷写真であるかを判別できる程度の濃度の凹凸数をカウントすることができる。
【００１６】
しかしながら，スクリーン線数が比較的少ない原稿画像まで識別対象にしようとする場合等には，図４（ｃ）に示すように複数の前記読み取り画素Ｐｔにほぼ完全に跨る，或いはそれに近い状態の網点が多くなることも考えられる。このような場合には，原稿画像データの主走査方向において隣接する前記読み取り画素Ｐｔとの濃度差だけでは濃度のピーク又はディップを検出することができない。そこで，原稿画像データの主走査方向の各画素において，１又は複数画素分だけ離れた画素との濃度差による濃度のピーク又はディップの検出も行い，これらのいずれかにおいて濃度のピーク又はディップを検出できれば，その画素（注目画素Ｐｔ０）をピーク又はディップであると判別する。
例えば，図５（ｂ）に示すように，濃度がそれぞれＢ，Ｃ，Ｄ，Ｅ，Ｆである画素が主走査方向にその順序で並んでいる場合に，濃度Ｄの画素を注目画素Ｐｔ０とすると，（Ｄ＞Ｂ）かつ（Ｄ＞Ｆ）かつ（２Ｄ−（Ｂ＋Ｆ）≧ＴＨ＿Ｐ）である場合に注目画素Ｐｔ０がピーク（凸）であると判別し，（Ｄ＜Ｂ）かつ（Ｄ＜Ｆ）かつ（（Ｂ＋Ｆ）−２Ｄ≧ＴＨ＿Ｄ）である場合に注目画素Ｐｔ０がディップ（凹）であると判別する。
同様に，図５（ｃ）に示すように，濃度がそれぞれＡ，Ｂ，Ｃ，Ｄ，Ｅ，Ｆ，Ｇである画素が主走査方向にその順序で並んでいる場合に，濃度Ｄの画素を注目画素Ｐｔ０とすると，（Ｄ＞Ａ）かつ（Ｄ＞Ｇ）かつ（２Ｄ−（Ａ＋Ｇ）≧ＴＨ＿Ｐ）である場合に注目画素Ｐｔ０がピーク（凸）であると判別し，（Ｄ＜Ａ）かつ（Ｄ＜Ｇ）かつ（（Ａ＋Ｇ）−２Ｄ≧ＴＨ＿Ｄ）である場合に注目画素Ｐｔ０がディップ（凹）であると判別する。ここでは，隣接する画素（図５（ａ）），１画素分離れた画素，及び２画素分離れた画素との濃度差それぞれについて，ピーク及びディップの検出用定数を同じ定数ＴＨ＿Ｐ，ＴＨ＿Ｄ（しきい値）としているが，それぞれ異なるしきい値を用いることも考えられる。
このように，原稿画像データの主走査方向の各画素（注目画素Ｐｔ０）において，隣接する画素との濃度差（図５（ａ）），１画素分離れた画素との濃度差（図５（ｂ）），２画素分離れた画素との濃度差（図５（ｃ））それぞれに基づいて濃度のピーク又はディップ（即ち，凹凸）の検出（判別）を行い，それらのいずれかにおいてピーク又はディップ（凹凸）が検出された場合に，その注目画素Ｐｔ０がピーク又はディップであると判別すれば，網点が複数の読み取り画素Ｐｔに跨るような場合であってもピーク又はディップを検出することが可能となる。利用者が前記印画紙写真と前記印刷写真とを見誤る高線数のスクリーン処理が施された原稿を対象とすれば，例えば，前記画像読み取り装置３５の読み取り分解能が６００ｄｐｉ程度である場合は，１画素分まで離れた画素との濃度差（図５（ａ）及び（ｂ））についてピーク及びディップ（凹凸）を検出すれば足りると考えられ，一般的に使用されるスクリーン線数が６５線の印刷物を対象とした場合でも，２画素分まで離れた画素との濃度差（図５（ａ）〜（ｃ））についてピーク及びディップを検出すれば足りると考えられる。
ここで，原稿画像に細かなメッシュ模様等，網点と同様の特性を有する画像が含まれる場合には，その模様を網点であると誤検出する場合も生じるが，そのような画像に対しては，前記印画紙写真対応画像処理よりも前記印刷写真対応画像処理を行う方が好ましいので特に問題は生じない。
【００１７】
また，原稿画像に網点が存在する場合，前述した方法で網点ありと判別される主走査線が所定周期で（所定ライン数ごとに）発生するはずである。例えば，前記画像読み取り装置３５の読み取り分解能が６００ｄｐｉであれば，スクリーン線数が２００線の場合は主走査線２．１２ラインごとに，スクリーン線数が６５線の場合には同４．８５ラインごとに網点が存在するはずである。従って，一旦，網点が検出された場合でも，主走査線の所定ライン数分について，そのいずれにも網点が検出されない場合には，網点がない領域に移行したと考えることができる。
そこで，前記網点検出部５６は，原稿画像データにおける主走査線の所定ライン数分（前記所定データ数分の一例）のデータについて，いずれも前述した網点の検出条件（濃度の凹凸が所定数以上存在する）に満たないことを網点なしと判別する条件とし，該条件が満たされた場合には，前記画像処理方式強制切替部５７に対して網点なしである旨の信号を出力するよう構成されている。
これにより，原稿画像の一部の領域に，網点処理された画像や細かなメッシュ模様等の画像が含まれる場合，その一部の領域以外の領域については，本来の設定である前記印画紙写真対応画像処理が行われることになる。
【００１８】
【発明の効果】
以上説明したように，本発明によれば，原稿画像を複写する際の原稿画像データに対して行う画像処理の方式を印画紙に現像された写真の原稿の複写に対応した画像処理方式とする印画紙写真モードと写真画像が記録紙に印刷された原稿の複写に対応した画像処理方式とする印刷写真モードとのいずれかに設定するモード設定手段を具備する画像処理装置において，利用者が印刷写真モードに設定すべきところを誤って印画紙写真モードに設定した場合であってもモアレの生じない適切な画像処理を行うことができる。
【図面の簡単な説明】
【図１】本発明の実施の形態に係る画像処理装置Ｘが適用される複写装置の構成を表す概略断面図。
【図２】本発明の実施の形態に係る画像処理装置Ｘの概略構成を表すブロック図。
【図３】原稿画像の網点及び網点が存在するラインと主走査線とが一致した場合における原稿画像データの濃度変化のグラフを表す図。
【図４】原稿画像の読み取り画素と網点との関係を模式的に表した図。
【図５】本発明の実施の形態に係る画像処理装置Ｘにおける網点検出方法を説明するための図。
【符号の説明】
１…定着ローラ
２…加圧ローラ
３…定着装置
４…表示操作部
３０…複写装置
３１…記録紙収納部
３２…両面ユニット
３３…画像形成部
３５…画像読み取り装置
３６…自動原稿搬送装置
３７…イメージセンサ
３８…レーザ発振器
３８ａ…レーザ制御部
４０…感光体ドラム
４１…帯電装置
４２…現像装置
４３…クリーニング装置
４４…作像ユニット
４５…転写装置
４６…転写ベルト
５１…空間フィルタ処理部
５２…γ補正処理部
５３…マルチ画像処理部
５３ａ…文字対応画像処理部
５３ｂ…印画紙写真対応画像処理部
５３ｃ…印刷写真対応画像処理部
５３ｄ…文字・写真対応画像処理部
５４…セレクタ
５５…設定モード記憶部
５６…網点検出部（網点検出手段）
５７…画像処理方式強制切替部（画像処理方式強制切替手段，画像処理方式復帰手段）
Ｐｔ…読み取り画素
Ｐｔ０…注目画素
Ｐｋ…ピーク（凸）
Ｄｐ…ディップ（凹）
【図１】
0003730210.tif 000002
【図２】
0003730210.tif 000003
【図３】
0003730210.tif 000004
【図４】
0003730210.tif 000005
【図５】
0003730210.tif 000006